(57)【要約】【課題】本発明は、仏壇本体の色を顧客の好みに合わせた色を施した仏壇を提供すること、及びインターネット上において実際に仏壇を購入する際に参考にできるシステムを提供することを課題とする。【解決手段】本発明は、仏壇本体の色を顧客の好みに合わせた色を施した仏壇を提供すること、及びインターネット上において、仏壇本体の色を顧客の好みに合わせた形状、色彩等を施し、その該仏壇の形態（形状及び色彩等）をパソコンの画面等で、実際に仏壇を購入する前に確認し、実際に仏壇を購入する際の参考となる仏壇購入システムを構築する。【選択図】図１
2016013251.tif 000002
【特許請求の範囲】
【請求項１】
仏壇本体の形状を顧客の好みに合わせて選択し、当該形状の仏壇の内部を含めて当該仏壇に、顧客の好みに合わせた色彩を施して作成された仏壇であることを特徴とする仏壇。
【請求項２】
請求項１に記載の仏壇において、
前記仏壇の内部を含めて施す色彩の種類は、３０色以上１０８色以下の範囲から選択できることを特徴とする仏壇。
【請求項３】
仏壇本体を、どの場所に設置するかを定める工程と、
当該仏壇本体の内部を含めて当該仏壇に、顧客の好みに合わせた色彩及び形状を施す工程と、
インターネット上において、顧客の好みに合わせた色彩及び形状を施し、当該仏壇の形状、色彩等をパソコンの画面等で表示して確認し得る工程と、
実際に仏壇を購入する前に購入者が自分で選択した仏壇本体の色からなる仏壇の色彩及び形状等を確認して、当該仏壇の色彩及び形状等の良否を確認する工程とからなる仏壇を購入し得ることを特徴とする仏壇購入システム。
【請求項４】
請求項３に記載の仏壇購入システムにおいて、
前記仏壇本体の色の種類は３０色以上１０８色以下の範囲から選択できることを特徴とする仏壇購入システム。
【請求項５】
均一な色彩を施す仏壇の形状を提示するステップと、
前記仏壇に施す均一な１色の色彩を選択するために、複数の色彩を提示するステップと、
前記提示した形状及び色彩の仏壇のうちで、選択された１色の色彩を施した仏壇を購入対象としてよいか否か判断するステップと、
を備えることを特徴とする仏壇の選択方法。
【請求項６】
請求項５に記載の仏壇の選択方法において、
前記仏壇が設置される背景を設定するステップと、
前記選択された１色の色彩を施した仏壇を、前記背景に設置したサンプルを表示するステップと、
を備えることを特徴とする仏壇の選択方法。
【発明の詳細な説明】
【技術分野】
【０００１】
本発明は、仏壇本体に色彩を施す仏壇、仏壇購入システム、および仏壇の選択方法に関する。
【背景技術】
【０００２】
従来、通常の仏壇においては、仏壇本体および仏壇本体に設けられた長押、中段、下段等の色は茶色、および／又は紫檀色が施されている場合が多い。
【０００３】
一方、近年は、住宅事情の変化もあり、従来のような大きな仏壇を設置することは困難となりつつある、特に、都会のマンション等に設置する場合、仏壇の周囲に設置する家具等と色彩的にも調和することが求められている。
【０００４】
そこで、本発明者は、都会のマンション等に設置する場合、仏壇の周囲に設置する家具等と調和しさらに、仏壇本体の色を顧客の好みに合わせた色を施した仏壇とその製造方法について着目した。
【先行技術文献】
【特許文献】
【０００５】
【特許文献１】特許第３５３０８５９号
【発明の概要】
【発明が解決しようとする課題】
【０００６】
本発明は、仏壇本体（内部を含めて）の色を顧客の好みに合わせた色を施した仏壇を提供すること、及びインターネット等において、仏壇本体（内部を含めて）の色を顧客の好みに合わせた色を施し、パソコンの画面等で、その配色された仏壇の形状、色彩等を確認でき、実際に仏壇を購入する際に参考となるシステムを提供することを課題とする。
【課題を解決するための手段】
【０００７】
第１の発明は、仏壇本体の形状を顧客の好みに合わせて選択し、当該形状の仏壇の内部を含めて当該仏壇に、顧客の好みに合わせた色彩を施して作成された仏壇であることを特徴とする。
【０００８】
第２の発明は、第１の発明に記載の仏壇において、
前記仏壇の内部を含めて施す色彩の種類は、３０色以上１０８色以下の範囲から選択できることを特徴とする。
【０００９】
第３の発明は仏壇購入システムであって、
仏壇本体を、どの場所に設置するかを定める工程と、
当該仏壇本体の内部を含めて当該仏壇に、顧客の好みに合わせた色彩及び形状を施す工程と、
インターネット上において、顧客の好みに合わせた色彩及び形状を施し、当該仏壇の形状、色彩等をパソコンの画面等で表示して確認し得る工程と、
実際に仏壇を購入する前に購入者が自分で選択した仏壇本体の色からなる仏壇の色彩及び形状等を確認して、当該仏壇の色彩及び形状等の良否を確認する工程とからなる仏壇を購入し得ることを特徴とする。
【００１０】
第４の発明は第３の発明に記載の仏壇購入システムにおいて、
前記仏壇本体の色の種類は３０色以上１０８色以下の範囲から選択できることを特徴とする。
【００１１】
第５の発明は、仏壇の選択方法において、
均一な色彩を施す仏壇の形状を提示するステップと、
前記仏壇に施す均一な１色の色彩を選択するために、複数の色彩を提示するステップと、
前記提示した形状及び色彩の仏壇のうちで、選択された１色の色彩を施した仏壇を購入対象としてよいか否か判断するステップと、
を備えることを特徴とする。
【００１２】
第６の発明は、第５の発明に記載の仏壇の選択方法において、
前記仏壇が設置される背景を設定するステップと、
前記選択された１色の色彩を施した仏壇を、前記背景に設置したサンプルを表示するステップと、
を備えることを特徴とする。
【発明の効果】
【００１３】
本発明に係るカラー仏壇及び／または仏壇購入システムは大都会に居住する人々の仏壇に関する需要を喚起し、産業の発達に寄与し得る。
【図面の簡単な説明】
【００１４】
【図１】本発明に係るカラー仏壇が設置されている部屋の例示を示す概略斜視図である。
【図２】本発明に係るカラー仏壇の扉が開いている様子を示す概略正面図である。
【図３】本発明に係るカラー仏壇の扉が閉じられている様子を示す概略正面図である。
【図４】本発明に係るカラー仏壇の概略斜視図である。
【図５】本発明に係るカラー仏壇の図４のＡ−Ａ´切断線略断面図である。
【図６】本発明に係るカラー仏壇を購入する購入システムの概要を示すフローチャートである。
【図７】本発明に係るカラー仏壇を購入する購入システムにおいて、カラー仏壇の選択方法を説明する説明図である。
【図８】本発明に係るカラー仏壇を購入する購入システムにおいて、カラー仏壇の選択方法を説明するためのフローチャートである。
【発明を実施するための形態】
【００１５】
本実施形態に係るカラー仏壇は、全面が同一の有彩色で着色された仏壇である。
【００１６】
仏壇の外観は、通常、木目調であって、色彩が施されるとしても茶色や紫檀色であることが多い。このような外観の仏壇は、和室のような和風の雰囲気には調和するが、近年の住宅事情の変化によって多く見受けられるようになった現代的な洋室の雰囲気とは調和し難い。
【００１７】
そこで、本実施形態においては、仏壇を設置する部屋の雰囲気に合わせて、複数の有彩色の中からカラー仏壇に施す色彩を選択することにより、仏壇と、現代的な洋室との雰囲気を調和させる。例えば、観葉植物を置いた洋室に仏壇を設置する際には、グリーンやイエローなどビタミンカラーの色彩を仏壇に施すことで調和が取れる（図１参照）。
【００１８】
このように、部屋の雰囲気と合わせて複数の有彩色の中からカラー仏壇に施す色彩を選択する方法は、カタログなどを顧客に見せることで行ってもよいし、コンピュータにおけるソフトウェアで実現してもよい。例えば、スマートフォンのアプリケーションソフトウェア（以下、アプリともいう）において、仏壇を設置する部屋の画像を取り込み、仏壇の画像と合成して、複数の有彩色の中から顧客の好みに合わせた色を選択できるようにしてもよい。また、以上の選択方法をインターネット上のウェブサイトにおいて実行してもよい。以下、実施例を説明する。
【実施例１】
【００１９】
以下、図面に基づいて説明する。
【００２０】
図１は本発明に係るカラー仏壇が設置されている部屋の例示を示す概略斜視図である。
【００２１】
１０１は当該カラー仏壇であり、１０２はその隣に隣接する本棚であり、１０３は観葉植物である。なお、この本棚１０２はあくまでも例示であり、その他のいかなる家具であってもよい。
【００２２】
カラー仏壇１０１は、略直方体状の外形を有し、その全面に有彩色で均一に着色されている。カラー仏壇１０１の全面に施される色彩は、例えばピンク、グリーン、またはイエローなどから選択された一色である。また、カラー仏壇１０１は前面に扉を有し、その扉を開けた内部にも同一の色彩が施されている。
【００２３】
当該カラー仏壇１０１は、その隣に隣接する本棚１０２や観葉植物１０３と形状、色彩等について、調和がとれていることを、仏壇を実際に購入する前に家のパソコン等でその形態等を確認して、購入すべき仏壇を選択できる。
【００２４】
図２は本発明に係るカラー仏壇の正面図であり、該カラー仏壇の扉が開かれた状態を示す正面図である。２００はＬＥＤ照明器具であり、２０１はＬＥＤ照明器具２００より放射されたＬＥＤ光線を通過させるガラス板であり、２０２は一般的には仏像を設置するガラス板であり、その材質はガラスである。２０３も、その材質はガラスであり、ガラス板２０２を保持している。２０４は一般的には仏具等や位牌を設置する台であり、その材質はガラスである。２０５も、その材質はガラスであり、ガラス板２０４を保持している。
【００２５】
２０３及び２０５の材質がガラスであるのは、図２のＬＥＤ照明器具２００から放射された光線を、通過させることにより、ガラス板２０２に設置された仏像や、ガラス板２０４に設置された位牌や仏具等に光線を当てることにより審美感が発生するとおもわれるからである。２０６はその材質は木質であり、一般的にはその上にお供え物、位牌や仏具等を設置する。２０８は本発明に係るカラー仏壇の上部の扉である。また、２０９は本発明に係るカラー仏壇の下部の扉である。
【００２６】
２１０はその材質は木質であり、一般的にはお供え物等を設置する。２１２の空間は、ろうそくやお線香等の仏具を収納する空間と考えられる。
【００２７】
また２１３は本発明に係るカラー仏壇の上部の扉２０８の中央のガラスの部分である。この部分がガラスであることにより、本発明に係るカラー仏壇の扉２０８を閉じた状態でも、仏壇の中の様子を見ることができるという効果が発生する。同様に２１４は本発明に係るカラー仏壇の下部の扉２０９の中央のガラスの部分である。この部分がガラスであることにより、本発明に係るカラー仏壇の下部の扉２０９を閉じた状態でも、上部の扉の場合と同様に仏壇の下部の様子を見ることができる。その結果、２１３，２１４を通してガラス越しにＬＥＤ照明に照らし出された仏壇と仏壇本体の色彩が調和して、モダンな印象を得られるという効果が発生する。
【００２８】
図３は本発明に係るカラー仏壇は該カラー仏壇の扉が閉ざされた状態を示す正面図である。図３において、２０８は本発明に係るカラー仏壇の上部の扉である。また、２０９は本発明に係るカラー仏壇の下部の扉である。２１３は本発明に係るカラー仏壇の上部の扉２０８の中央のガラスの部分である。また、２１４は２１４は本発明に係るカラー仏壇の下部の扉２０９の中央のガラスの部分である。２０９は本発明に係るカラー仏壇の下部の扉である。
【００２９】
図４は本発明に係るカラー仏壇の全体を示す斜視図である。図４において、２０８は本発明に係るカラー仏壇の上部の扉であり、また、２０９は本発明に係るカラー仏壇の下部の扉である。本発明に係るカラー仏壇の上部の扉２０８及び下部の扉２０９には同様の色彩が施されている。なお、必要に応じて、本発明に係るカラー仏壇の上部の扉２０８と下部の扉２０９に異なる色彩が施すことも可能である。
【００３０】
２１５はカラー仏壇本体の側面であり、カラー仏壇本体に施された色彩と同一の色彩を施す。２１６はカラー仏壇本体の最上部の板であり、カラー仏壇本体に施された色彩と同一の色彩を施してもよいし、お客様のニーズに従って、異なる色彩を施してもよい。
【００３１】
すなわち、本発明に係るカラー仏壇の中央部のガラス２１３，２１４以外の部分に、お客様のニーズに従って、自由に好みの色彩を施すことにより、お客様の美観を満足させ得る仏壇を提供できる。
【００３２】
図５は本発明に係るカラー仏壇の図４のＡ−Ａ´切断線断面図である。
【００３３】
２１７は本発明に係るカラー仏壇の扉を開いた場合の仏壇の上部の背面を構成する板である。また２１８は本発明に係るカラー仏壇の扉を開いた場合の仏壇の下部の背面を構成する板である。これら、カラー仏壇の扉を開いた場合の仏壇の背面の上部及び下部も色彩が施されている。
【００３４】
仏壇の上部の木質の板２０６、２０７、２１９にも色彩が施されている。仏壇の下部の棚板２１０、２１１及び、内壁２２０にも色彩が施されている。
【００３５】
なお、カラー仏壇１０１に施す色彩は、上述の色に限られない。例えば、マゼンダ、オレンジ、ライムグリーン、エメラルドグリーン、またはシアン等であってもよい。また、例えばＲＧＢカラーモデル（２４ビット）において、レッド（２５５，０，０）、イエロー（２５５，２５５，０）、グリーン（０，２５５，０）、シアン（２５５，２５５，０）、ブルー（０，２５５，０）、マゼンダ（０，２５５，２５５）の６色を略等間隔に分割して、複数の色彩を抽出してもよい。ここで、ＲＧＢ明度を括弧書きしている。例えば、レッド（２５５，０，０）とイエロー（２５５，２５５，０）間の色を５等分するようにして３０色抽出したり、１６等分するようにして１０８色抽出したりしてもよい。このようにすることで、彩度の高い色彩を抽出することができる。
【実施例２】
【００３６】
以下、本発明に係る仏壇購入システムについて、図６に基づいて説明する。
図６は本発明に係る仏壇購入システムであって、仏壇を購入する際に参考となる情報を提供し得る仏壇本体の色を顧客の好みに合わせた色を施した仏壇を提供すること及びインターネット上において、仏壇本体の色彩等の形態を顧客の好みに合わせた色彩等の形態を施し、当該仏壇の形状、色彩等をパソコンの画面等で確認でき、顧客が実際に仏壇を購入する際に参考となる情報を提供し得るシステム提供する
まず、最初に、購入者は、仏壇を配置する場所を決定する（Ｓ２０１）。
【００３７】
次に、仏壇を配置する場所に適する仏壇本体の色や形状等（以下、仏壇の形態ともいう）を顧客の好みに合わせた色彩及び形状を施す工程（Ｓ２０２）を経て、さらに、仏壇の形態等をカタログまたは、インターネット上のサイトから選択し、そして仏壇の背景をどのようなものにするかを、やはり、カタログまたは、インターネット上のサイトから選択する（Ｓ２０４）。さらに、ステップＳ２０１乃至Ｓ２０４によって、決定した該仏壇の形態（形状及び色彩等）をパソコン等で使用して、自分の望むものであるか否かを確認する（Ｓ２０４）。
【００３８】
そして、決定した該仏壇の形態（形状及び色彩等）がパソコン等を使用して、自分の望むものであるか否かを確認し、望むものでない場合（Ｓ２０５のＮ）には、再度ステップＳ２０１に戻り、ステップ２０１からステップ２０５を繰り返す（Ｓ２０５）。そして最終的に、決定した該仏壇の形態（形状及び色彩等）がパソコン等の画面を使用して、自分の望むものであるか否かを確認し、望むものである場合（Ｓ２０５のＹ）には、当該仏壇の資料を持参して販売店を訪問するか、可能であればインターネットを経由して、当該仏壇を購入する。
【実施例３】
【００３９】
以下、本発明に係るカラー仏壇の選択方法について、図７及び８に基づいて説明する。図７は、カラー仏壇の選択方法を説明する説明図である。図８は、カラー仏壇の選択方法を説明するためのフローチャートである。
【００４０】
図７において、カラー仏壇の選択方法を実現するコンピュータ画面を例示する。以下に説明するカラー仏壇の選択方法は、例えば図７に示すように、スマートフォンやタブレット端末などにおけるアプリ５００によって実行される。なお、このようなアプリケーションを店頭販売において利用してもよい。例えば、タブレット端末などで顧客と共同して行ってもよいし、電子ペーパなどによるカタログを用いて行ってもよい。
【００４１】
まず、アプリ５００は、タイプ選択画面５１０を用いて、均一な色彩を施す仏壇の形状を提示する（Ｓ３０１）。なお、色彩を施す対象となる仏壇の形状は、複数用意されていてもよいし、一つだけであってもよい。顧客は、提示された仏壇の形状の中から一つの仏壇の形状を選択できる。
【００４２】
次に、アプリ５００は、仏壇が設置される背景を設定する（Ｓ３０２）。背景の設定ステップ（Ｓ３０２）は、例えば、スマートフォンに内蔵されたカメラによって撮像された顧客の部屋の画像を、背景取り込みボタン５２０を用いて取り込むことによって実行される。なお、店頭販売等においては、背景の設定ステップ（Ｓ３０２）は省略してもよい。
【００４３】
次に、アプリ５００は、色彩選択画面５３０を用いて、仏壇に施す１色の色彩に関して、複数の色彩を提示する（Ｓ３０３）。色彩選択画面５３０にはカラーｃ１乃至ｃ３０によって、３０色の色彩が提示される。提示される色彩の数は、３０色に限らず、３０色以上１０８色以下であってよい。１０８色である場合、煩悩の数を想起させ、顧客に仏教的観念を与えることができると思われる。顧客は、提示された色彩の中から一つの色彩を選択できる。なお、選択する色彩を、１色に代えて２色として、ツートーンカラーで色彩を施してもよい。
【００４４】
次に、アプリ５００は、選択された色彩のカラー仏壇１０１のサンプルを表示する（Ｓ３０４）。サンプルの表示ステップ（Ｓ３０４）は、ステップＳ３０１において選択された形状の仏壇に選択された色彩を施して、ステップＳ３０２において設定された背景の中に合成することにより行われる。なお、店頭販売等においては、サンプルの表示は省略して、例えば色見本を提示するのに留めてもよい。
【００４５】
以上の選択の後に、アプリ５００は、顧客の指定に基づいて選択されたカラー仏壇を購入対象としてよいか否か判断する（Ｓ３０４）。顧客は、選択されたカラー仏壇を購入対象としてよいことを、購入決定ボタン５５０を用いて指定できる（Ｓ３０４のＹｅｓ）。選択されたカラー仏壇を購入対象としない場合（Ｓ３０４のＮｏ）、以上のステップＳ３０１乃至Ｓ３０３を再度、実行する。なお、以上のステップＳ３０１乃至Ｓ３０３のうちで変更のないステップがあれば、当該ステップを省略してもよい。
【００４６】
以上のようなカラー仏壇の選択方法により、仏壇を設置する部屋の雰囲気に合わせて、複数の有彩色の中からカラー仏壇に施す色彩を選択することができる。これによって、部屋の雰囲気と調和の取れた仏壇を提供することができる。
【符号の説明】
【００４７】
１００      本発明に係るカラー仏壇が設置されている部屋
１０１      本発明に係るカラー仏壇
１０２      本発明に係るカラー仏壇に隣接されて置かれている本箱である。なお、この本箱は単なる例示であって、いかなる家具であってもよい。
１０３      本発明に係るカラー仏壇が部屋に隣接して設置されている観葉植物である。なお、この観葉植物は単なる例示であって、いかなる物であってもよい。
【図１】
2016013251.tif 000003
【図２】
2016013251.tif 000004
【図３】
2016013251.tif 000005
【図４】
2016013251.tif 000006
【図５】
2016013251.tif 000007
【図６】
2016013251.tif 000008
【図７】
2016013251.tif 000009
【図８】
2016013251.tif 000010